(57)【要約】【課題】本発明はカーナビゲーション装置に関するもので、使い勝手を良くすることを目的とするものである。【解決手段】そしてこの目的を達成するために本発明は、制御手段９に、車両１の施錠装置３から無線キー５への第一の無線情報と、前記無線キー５から車両１の施錠装置３への第二の無線情報を受信する受信手段１８と、この受信手段１８で受信した前記第一、第二の無線情報を記憶する起動データ記憶手段１９と、この起動データ記憶手段１９に記憶された前記第一、第二の無線情報と、その後に前記受信手段１８で受信される車両１の施錠装置３から無線キー５への第一の無線情報、および前記無線キー５から車両１の施錠装置３への第二の無線情報とを比較する比較手段２０とを設け、この比較手段２０の比較結果により、起動制御を行う構成とした。【選択図】図２
2011208987.tif 000002
【特許請求の範囲】
【請求項１】
本体ケースと、この本体ケースに設けた表示手段と、この表示手段に接続した制御手段と、
この制御手段に接続したカーナビプログラム記憶手段、および位置測定手段とを備え、前記制御手段には、車両の施錠装置から無線キーへの第一の無線情報と、前記無線キーから車両の施錠装置への第二の無線情報を受信する受信手段と、この受信手段で受信した前記第一、第二の無線情報を記憶する起動データ記憶手段と、この起動データ記憶手段に記憶された前記第一、第二の無線情報と、その後に前記受信手段で受信される車両の施錠装置から無線キーへの第一の無線情報、および前記無線キーから車両の施錠装置への第二の無線情報とを比較する比較手段とを設け、この比較手段の比較結果により、起動制御を行う構成としたカーナビゲーション装置。
【請求項２】
前記その後に前記受信手段で受信される車両の施錠装置から無線キーへの第一の無線情報を記憶する第二の起動データ記憶手段を設けた請求項１に記載のカーナビゲーション装置。
【請求項３】
前記その後に前記前記受信手段で受信される無線キーから車両の施錠装置への第二の無線情報を記憶する第三の起動データ記憶手段を設けた請求項１または２に記載のカーナビゲーション装置。
【発明の詳細な説明】
【技術分野】
【０００１】
本発明は、カーナビゲーション装置に関するものである。
【背景技術】
【０００２】
カーナビゲーション装置の構成は、一般的に下記のような構成となっていた。
すなわち、本体ケースと、この本体ケースに設けた表示手段と、この表示手段に接続した制御手段と、この制御手段に接続したカーナビプログラム記憶手段、および位置測定手段とを備えた構成となっている。
【０００３】
また、盗難防止のために、例えば下記特許文献１に示されたように、前記制御手段にパスワード入力手段を接続したものがある。
つまり、パスワードを入力しなければ、このカーナビゲーション装置が起動されないようにすることで、盗難を抑制しようとしているのである。
【先行技術文献】
【特許文献】
【０００４】
【特許文献１】特開２００２−２８６４６０号公報
【発明の概要】
【発明が解決しようとする課題】
【０００５】
前記従来例の課題は、使い勝手が悪いと言うことであった。
【０００６】
すなわち、上述のごとく制御手段にパスワード入力手段を接続すれば、それを不法に入手しても、パスワードが分からなければ、このカーナビゲーション装置を起動することができないので、その点から盗難が抑制されると期待されるものであるが、正規の使用者がパスワードを忘れると、この時にも起動ができず、また毎回パスワードを入力する必要もあり、これらのことから極めて使い勝手の悪いものであった。
そこで、本発明は、使い勝手を向上することを目的とするものである。
【課題を解決するための手段】
【０００７】
そして、この目的を達成するために本発明は、本体ケースと、この本体ケースに設けた表示手段と、この表示手段に接続した制御手段と、この制御手段に接続したカーナビプログラム記憶手段、および位置測定手段とを備え、前記制御手段には、車両の施錠装置から無線キーへの第一の無線情報と、前記無線キーから車両の施錠装置への第二の無線情報を受信する受信手段と、この受信手段で受信した前記第一、第二の無線情報を記憶する起動データ記憶手段と、この起動データ記憶手段に記憶された前記第一、第二の無線情報と、その後に前記受信手段で受信される車両の施錠装置から無線キーへの第一の無線情報、および前記無線キーから車両の施錠装置への第二の無線情報とを比較する比較手段とを設け、この比較手段の比較結果により、起動制御を行う構成とし、これによって初期の目的を達成するものである。
【発明の効果】
【０００８】
以上のごとく本発明は、本体ケースと、この本体ケースに設けた表示手段と、この表示手段に接続した制御手段と、この制御手段に接続したカーナビプログラム記憶手段、および位置測定手段とを備え、前記制御手段には、車両の施錠装置から無線キーへの第一の無線情報と、前記無線キーから車両の施錠装置への第二の無線情報を受信する受信手段と、この受信手段で受信した前記第一、第二の無線情報を記憶する起動データ記憶手段と、こ
の起動データ記憶手段に記憶された前記第一、第二の無線情報と、その後に前記受信手段で受信される車両の施錠装置から無線キーへの第一の無線情報、および前記無線キーから車両の施錠装置への第二の無線情報とを比較する比較手段とを設け、この比較手段の比較結果により、起動制御を行う構成としたものであるので、使い勝手の良いものとなる。
【０００９】
すなわち、本発明においては、前記制御手段に、車両の施錠装置から無線キーへの第一の無線情報と、前記無線キーから車両の施錠装置への第二の無線情報を受信する受信手段と、この受信手段で受信した前記第一、第二の無線情報を記憶する起動データ記憶手段と、この起動データ記憶手段に記憶された前記第一、第二の無線情報と、その後に前記受信手段で受信される車両の施錠装置から無線キーへの第一の無線情報、および前記無線キーから車両の施錠装置への第二の無線情報とを比較する比較手段とを設け、この比較手段の比較結果により、起動制御を行う構成としたものであるので、車両の開錠とともに、起動制御が行われるようになり、つまり使用者は起動のためのパスワードを入力する必要がなく、もちろんパスワード忘れの心配も無く、極めて使い勝手の良いものとなるのである。
【図面の簡単な説明】
【００１０】
【図１】本発明の実施の形態１にかかるカーナビゲーション装置を車両に搭載した状態を示すブロック図
【図２】同制御ブロック図
【発明を実施するための形態】
【００１１】
以下、本発明の一実施形態にかかるカーナビゲーション装置を、車両に搭載したものを、添付図面を用いて説明する。
（実施の形態）
図1において、１は車両で、そのドア２には施錠装置３が設けられている。
この施錠装置３は車両１に設けたアンテナ４を介して携帯用の無線キー５と交信することで、施錠と開錠が行われるようになっている。
【００１２】
このような無線キー５を用いた施錠装置３の施錠と開錠については周知のことであるが、説明を簡単に行うと、先ずは車両１に設けたアンテナ４から断続的に近傍に無線キー５が存在するか否かの問い合わせが電波により行われる（第一の無線情報）。
近傍に無線キー５が存在しなければ、返信が無いことで、施錠装置３の開錠は行わず、施錠状態を継続する。
【００１３】
また、車両１の近傍に無線キー５が存在する時、つまりドア２を開けるために使用者が車両１に近づいてきた時には、無線キー５からの返信（第二の無線情報）があるので、正規の無線キー５であることを確認後、施錠装置３の開錠を行う。
一方、車両１内にはカーナビゲーション装置６が装着されており、このカーナビゲーション装置６の構成は図２に示すようなものとなっている。
【００１４】
すなわち、このカーナビゲーション装置６は、本体ケース７と、この本体ケース７に設けた表示手段８と、この表示手段８に接続した制御手段９と、この制御手段９に接続したカーナビプログラム記憶手段１０、および位置測定手段１１と、各部に電源を供給するための電源手段１２、ＡＣＣ−ＯＮ／ＯＦＦ検知手段１３とを備えている。
【００１５】
なお、電源手段１２は車両１の車両バッテリー１４から＋Ｂ端子１５を介して電源が供給鬱されるようになっている。また、ＡＣＣ−ＯＮ／ＯＦＦ検知手段１３には、ＡＣＣ端子１６を介して車両１の車両ＡＣＣ端子１７から電源が供給されるようになっている。
カーナビゲーション装置６の以上の構成は、周知のものであるので、その説明は割愛し、以下に特徴点について詳細に説明する。
【００１６】
本実施形態のカーナビゲーション装置６における特徴点は、図２に示すごとく、車両１の施錠装置３から無線キー５への前記第一の無線情報と、前記無線キー５から車両１の施錠装置３への前記第二の無線情報をアンテナ１８ａを介して受信する受信手段１８と、この受信手段１８で受信した前記第一、第二の無線情報を記憶する起動データ記憶手段１９と、この起動データ記憶手段１９に記憶された前記第一、第二の無線情報と、その後に前記アンテナ１８ａを介して受信手段１８で受信される車両１の施錠装置３から無線キー５への第一の無線情報、および前記無線キー５から車両１の施錠装置３への第二の無線情報とを比較する比較手段２０とを設け、この比較手段２０の比較結果により、起動制御を行う構成としたことである。
【００１７】
前記起動データ記憶手段１９に記憶された前記第一、第二の無線情報はマスターデータとなるものであって、基本的には書き換えが出来ないものとなっている。
【００１８】
また、前記その後に前記アンテナ１８ａを介して受信手段１８で受信される車両１の施錠装置３から無線キー５への第一の無線情報は、一旦起動データ記憶手段２１に比較データとして記憶される。
【００１９】
さらに、前記その後に前記アンテナ１８ａを介して受信手段１８で受信される前記無線キー５から車両１の施錠装置３への第二の無線情報は、一旦起動データ記憶手段２２に比較データとして記憶されるようになっている。
【００２０】
そして、比較手段２０において、前記比較データである起動データ記憶手段２１に記憶された第一の無線情報、および前記比較データである起動データ記憶手段２２に記憶された第二の無線情報と、前記マスターデータである起動データ記憶手段１９に記憶された前記第一、第二の無線情報が比較され、この比較が合致すると制御手段９により、本実施形態のカーナビゲーション装置６が起動されるようになる。
【００２１】
つまり、本実施形態のカーナビゲーション装置６は、ドア２を開けるために使用者が車両１に近づいてきた時には、車両１に設けたアンテナ４から無線キー５に問い合わせ用の第一の無線情報が出ているだけでなく、この時には無線キー５からの返信として第二の無線情報も存在するので、これをアンテナ１８ａを介して受信手段１８で受信するだけで、起動がおこなえる。
【００２２】
このため、使用者は、カーナビゲーション装置６の起動のために、毎回パスワードを入力する必要も無く、もちろんパスワード忘れの心配も無く、極めて使い勝手の良いものとなる。
【００２３】
また、このカーナビゲーション装置６が盗難に合った場合には、その後に前記比較データである起動データ記憶手段２１に記憶される第一の無線情報、および前記比較データである起動データ記憶手段２２に記憶される第二の無線情報が、前記マスターデータである起動データ記憶手段１９に記憶された前記第一、第二の無線情報と異なるので、前記比較手段２０による比較が合致せず、その結果本実施形態のカーナビゲーション装置６は起動されることは無い。
このため、本実施形態のカーナビゲーション装置６は盗んでも活用できないものとして、盗難にあうことの少ないものとなる。
【産業上の利用可能性】
【００２４】
以上のごとく本発明は、本体ケースと、この本体ケースに設けた表示手段と、この表示手段に接続した制御手段と、この制御手段に接続したカーナビプログラム記憶手段、およ
び位置測定手段とを備え、前記制御手段には、車両の施錠装置から無線キーへの第一の無線情報と、前記無線キーから車両の施錠装置への第二の無線情報を受信する受信手段と、この受信手段で受信した前記第一、第二の無線情報を記憶する起動データ記憶手段と、この起動データ記憶手段に記憶された前記第一、第二の無線情報と、その後に前記受信手段で受信される車両の施錠装置から無線キーへの第一の無線情報、および前記無線キーから車両の施錠装置への第二の無線情報とを比較する比較手段とを設け、この比較手段の比較結果により、起動制御を行う構成としたものであるので、使い勝手の良いものとなる。
【００２５】
すなわち、本発明においては、前記制御手段に、車両の施錠装置から無線キーへの第一の無線情報と、前記無線キーから車両の施錠装置への第二の無線情報を受信する受信手段と、この受信手段で受信した前記第一、第二の無線情報を記憶する起動データ記憶手段と、この起動データ記憶手段に記憶された前記第一、第二の無線情報と、その後に前記受信手段で受信される車両の施錠装置から無線キーへの第一の無線情報、および前記無線キーから車両の施錠装置への第二の無線情報とを比較する比較手段とを設け、この比較手段の比較結果により、起動制御を行う構成としたものであるので、車両の開錠とともに、起動制御が行われるようになり、つまり使用者は起動のためのパスワードを入力する必要がなく、もちろんパスワード忘れの心配も無く、極めて使い勝手の良いものとなるのである。
したがって、車両用ナビゲーション装置として、広く活用が期待される。
【符号の説明】
【００２６】
１    車両
２    ドア
３    施錠装置
４    アンテナ
５    無線キー
６    カーナビゲーション装置
７    本体ケース
８    表示手段
９    制御手段
１０    カーナビプログラム記憶手段
１１    位置測定手段
１２    電源手段１２
１３    ＡＣＣ−ＯＮ／ＯＦＦ検知手段
１４    車両バッテリー
１５    ＋Ｂ端子
１６    ＡＣＣ端子
１７    車両ＡＣＣ端子
１８    受信手段
１８ａ    アンテナ
１９    起動データ記憶手段
２０    比較手段
２１    起動データ記憶手段
２２    起動データ記憶手段
【図１】
2011208987.tif 000003
【図２】
2011208987.tif 000004